(57)【要約】      （修正有）【課題】液状物又は粉状物などの様々な物を高密度に充填したプラスチックカプセルを提供する。また、液状物又は粉状物などの様々な物を充填したプラスチックカプセルが標的に当たったときに容器がきれいに割れ且つ衝撃を少なくする。さらに、プラスチックカプセル内に液状物又は粉状物などの様々な物を高密度に充填する方法を提供する。【解決手段】２つの半球部Ａ、Ｂに対向する突出部１０，２０をそれぞれ設け、突出部の内部に経路を形成しておき、一方の半球部の突出部を位置決めとして使用して各半球部を相互に嵌め合わせた後、他方の半球部の突出部の経路より球形容器内の空気を吸い上げて真空に近づけ、その状態の下で経路より液状物又は粉状物を注入することにより高密度に液状物又は粉状物を充填した後、各突出部を熱切断して封止する。【選択図】  図５
2007269337.tif 000002
【特許請求の範囲】
【請求項１】
２つの半球部を係合させて形成されるプラスチック製の球形容器内に高密度に液状物又は粉状物を充填したプラスチックカプセル。
【請求項２】
前記各半球部に対向する突出部をそれぞれ設け、前記突出部の内部に経路を形成しておき、前記各半球部を嵌め合わせて前記突出部の前記経路より前記球形容器内の空気を吸い上げて真空に近づけた状態下で前記経路より液状物又は粉状物を注入し前記各突出部を熱切断して密封成形されていることを特徴とする請求項１に記載のプラスチックカプセル。
【請求項３】
前記各半球部の内壁に複数の溝が設けられていることを特徴とする請求項１又は請求項２に記載のプラスチックカプセル。
【請求項４】
２つの半球部を係合させて形成されるプラスチック製の球形容器内に液状物又は粉状物を充填するプラスチックカプセルの充填方法において、前記各半球部に対向する突出部をそれぞれ設け、前記突出部の内部に経路を形成しておき、一方の前記半球部の前記突出部を位置決めとして使用して前記各半球部を相互に嵌め合わせた後、他方の前記半球部の前記突出部の前記経路より前記球形容器内の空気を吸い上げて真空に近づけ、その状態の下で前記経路より液状物又は粉状物を注入することにより高密度に液状物又は粉状物を充填した後、前記各突出部を熱切断して封止したことを特徴とするプラスチックカプセルの充填方法。
【発明の詳細な説明】
【技術分野】
【０００１】
本発明は、高密度に液状物又は粉状物を充填したプラスチックカプセル及びプラスチックカプセルの充填方法に関するものである。
【背景技術】
【０００２】
２つの半球部を係合させて形成されるプラスチック製の球形容器内に液状物又は粉状物を充填する場合、容器の構成部分が２つに割れていることに根本的に起因して従来から考えられている充填方法で行うと、その容器内に８０％〜９０％程度しか充填することができないという問題があった。
【０００３】
一方、プラスチック製の球形容器内に液状物又は粉状物を充填し、例えば、ペイントボール等に使用する場合、標的に当たったときに容器がきれいに割れて且つできるだけ衝撃を少なくすることにより危険を低下させる工夫が必要になる。
【０００４】
【特許文献１】特開平２００５−６７６５３号公報
【特許文献２】特開平２００２−１６６５６５号公報
【特許文献３】特開平６−３０４９８６号公報
【発明の開示】
【発明が解決しようとする課題】
【０００５】
本発明の第一の目的は、液状物又は粉状物などの様々な物を高密度に充填したプラスチックカプセルを提供することである。
【０００６】
本発明の第二の目的は、液状物又は粉状物などの様々な物を充填したプラスチックカプセルが標的に当たったときに容器がきれいに割れ且つ衝撃を少なくすることである。
【０００７】
本発明の第三の目的は、プラスチックカプセル内に液状物又は粉状物などの様々な物を高密度に充填する方法を提供することである。
【課題を解決するための手段】
【０００８】
上記課題を解決するために、請求項１に記載の発明は、２つの半球部を係合させて形成されるプラスチック製の球形容器内に高密度に液状物又は粉状物を充填したことを特徴とする。
【０００９】
また、請求項２に記載の発明は、請求項１に記載の前記各半球部に対向する突出部をそれぞれ設け、前記突出部の内部に経路を形成しておき、前記各半球部を嵌め合わせて前記突出部の前記経路より前記球形容器内の空気を吸い上げて真空に近づけた状態下で前記経路より液状物又は粉状物を注入し前記各突出部を熱切断して密封成形されていることを特徴とする。
【００１０】
また、請求項３に記載の発明は、請求項１に記載の前記各半球部の内壁に複数の溝が設けられていることを特徴とする。
【００１１】
また、請求項４に記載の発明は、２つの半球部を係合させて形成されるプラスチック製の球形容器内に液状物又は粉状物を充填するプラスチックカプセルの充填方法において、前記各半球部に対向する突出部をそれぞれ設け、前記突出部の内部に経路を形成しておき、一方の前記半球部の前記突出部を位置決めとして使用して前記各半球部を相互に嵌め合わせた後、他方の前記半球部の前記突出部の前記経路より前記球形容器内の空気を吸い上げて真空に近づけ、その状態の下で前記経路より液状物又は粉状物を注入することにより高密度に液状物又は粉状物を充填した後、前記各突出部を熱切断して封止したことを特徴とする。
【発明の効果】
【００１２】
以上のように、本発明によれば、球形容器内の空気を吸い上げて真空に近づけた状態下で液状物又は粉状物を注入して密封成形したので、液状物又は粉状物などの様々な物を高密度に充填したプラスチックカプセルを提供することができる。また、各半球部の内壁に複数の溝を設けたので、液状物又は粉状物などの様々な物を充填したプラスチックカプセルが標的に当たったときに容器がきれいに割れ且つ衝撃を少なくすることができる。
【発明を実施するための最良の形態】
【００１３】
以下、本発明の実施の一形態について図面を参酌しながら説明する。
【００１４】
本発明にかかるプラスチックカプセルは、２つの半球部を係合させて形成されるプラスチック製の球形容器からなる。図１は、プラスチックカプセルを構成する半球部Ａの断面図である。図２は、プラスチックカプセルを構成する半球部Ｂの断面図である。図３は、半球部Ａ、半球部Ｂの平面図である。図４は、半球部Ａ、半球部Ｂの底面図である。
【００１５】
図１に示すように、半球部Ａには突出部１０が設けられており、この突出部１０の内部には２つの経路１１が形成されている。一方、図２に示すように、半球部Ｂにも半球部Ａと同様の突出部２０が設けられており、この突出部２０の内部には半球部Ａと同様の２つの経路２１が形成されている。なお、本実施例においては、突出部１０、２０にそれぞれ２つの経路（１１ａと１１ｂ、２１ａと２１ｂ）が形成されたものについて説明するが、後述する球形容器内の空気の減圧と液状物又は粉状物の注入をバルブの切り替えで行うことができる真空発生装置・充填装置を使用する場合は、突出部１０、２０にそれぞれ１つの経路が形成されたものに変更することができる。
【００１６】
また、図１に示すように、半球部Ａの縁部には外側部分を削って段部を形成した嵌合部１２が設けられている。一方、図２に示すように、半球部Ｂの縁部には内側部分を削って段部を形成した嵌合部２２が設けられている。図５に示すように、半球部Ａの嵌合部１２と半球部Ｂの嵌合部２２を係合させてプラスチック製の球形容器が形成される。
【００１７】
また、半球部Ａと半球部Ｂの内壁に複数の溝を設けることができる（図示省略）。この場合には、液状物又は粉状物などの様々な物を充填したプラスチックカプセルが標的に当たったときに容器がきれいに割れ且つ衝撃を少なくすることができる。
【００１８】
図６は、プラスチックカプセルの充填方法の手順を示す説明図である。本発明にかかるプラスチックカプセルは、プラスチック製の球形容器内に高密度に液状物又は粉状物を充填したことを特徴とする。以下、プラスチックカプセルの充填方法について説明する。
（１）図１乃至図４に示す一対の半球部Ａと半球部Ｂを準備する。
（２）半球部Ａの突出部１０を位置決めとして使用して半球部Ａの嵌合部１２と半球部Ｂの嵌合部２２を嵌め合わせる（図５参照）。突出部１０の内部の経路１１ａ、１１ｂを密閉しておく。
（３）真空発生装置を使用して半球部Ｂの突出部２０の経路２１ａに導通させて球形容器内の空気を吸い上げて減圧し真空に近づける。
（４）次に、その状態の下で充填装置を使用して突出部２０の経路２１ｂに導通させて球形容器内に液状物又は粉状物を注入する。
（５）球形容器内に液状物又は粉状物の充填が完了した後、突出部１０、２０を熱切断して球形容器を封止する。
以上により、プラスチックカプセルの球形容器内に従来から考えられている充填方法と比較して高密度（球形容器内に９５％程度）に液状物又は粉状物を充填することができる。
【図面の簡単な説明】
【００１９】
【図１】プラスチックカプセルを構成する半球部Ａの断面図である。
【図２】プラスチックカプセルを構成する半球部Ｂの断面図である。
【図３】半球部Ａ、半球部Ｂの平面図である。
【図４】半球部Ａ、半球部Ｂの底面図である。
【図５】半球部Ａと半球部Ｂを係合させた状態を示す断面図である。
【図６】プラスチックカプセルの充填方法の手順を示す説明図である。
【符号の説明】
【００２０】
Ａ  半球部
Ｂ  半球部
１０  突出部
１１  経路
１２  嵌合部
２０  突出部
２１  経路
２２  嵌合部
【図１】
2007269337.tif 000003
【図２】
2007269337.tif 000004
【図３】
2007269337.tif 000005
【図４】
2007269337.tif 000006
【図５】
2007269337.tif 000007
【図６】
2007269337.tif 000008